【手続補正書】
【提出日】平成21年4月7日(2009.4.7)
【手続補正１】
【補正対象書類名】特許請求の範囲
【補正対象項目名】全文
【補正方法】変更
【補正の内容】
【特許請求の範囲】
【請求項１】
治癒期間の間、骨断片をアンカー骨へと接続し、そして該治癒期間の間、骨を伸長させるための骨断片ワイヤであって、該骨断片ワイヤは、細長いワイヤ（１０）を備え、該細長いワイヤ（１０）は、ワイヤ軸の周囲の骨外部セクション（２４）から遠位に延びる骨貫通セクション（２２）を有し、該骨貫通セクション（２２）は、該骨外部セクション（２４）よりも短く、該骨貫通セクション（２２）は、非係合断片セクション（１４）と、該非係合断片セクション（１４）に対して遠位に位置する骨アンカーセクション（１２）とを備え、該非係合断片セクション（１４）は、０．１インチ（２．５４ｍｍ）以下のシャフト直径を有するシャフト（２６）を有し、該骨断片ワイヤは、該骨アンカーセクション（１２）が、該アンカー骨と係合するためのねじ（３４）を有し、該ねじ（３４）の外径が該非係合断片セクション（１４）のシャフト直径よりも大きいことによって特徴付けられ；そして圧縮係合部（３６）が該骨外部セクション（２４）の遠位端部に設けられ、該圧縮係合部（３６）が、該骨断片の外部表面との実質的接触のために、該ワイヤ軸に対して実質的角度で延びる肩部（３８）を提供することによって特徴付けられる、骨断片ワイヤ。
【請求項２】
前記骨外部セクション（２４）が、前記骨アンカーセクション（１２）の前記ねじ（３４）よりも浅いピッチのねじ（４４）を有することによって特徴付けられ、そして前記圧縮係合部（３６）が、該骨外部セクション（２４）の該ねじ（４４）によって回転可能に支持されるナット（４０）によって提供されることによって特徴付けられる、請求項１に記載の骨断片ワイヤ。
【請求項３】
前記骨外部セクション（２４）が、外部ねじ（４４）を有することによって特徴付けられ、該外部ねじが、前記圧縮係合部（３６）における内部ねじと嵌合し、該圧縮係合部（３６）における該内部ねじの内径が、前記非係合断片セクション（１４）よりも小さく、その結果、該圧縮係合部（３６）における該内部ねじが、前記非係合断片セクション（１４）へと前進することができないことによって特徴付けられる、請求項１に記載の骨断片ワイヤ。
【請求項４】
前記骨外部セクション（２４）が、前記骨アンカーセクション（１２）のねじ（３４）とは異なるねじ断面のねじ（４４）を有することによって特徴付けられ、そして前記圧縮係合部（３６）が、該骨外部セクション（２４）の該ねじ（４４）において回転可能に支持されるナット（４０）によって提供されることによって特徴付けられる、請求項１に記載の骨断片ワイヤ。
【請求項５】
複数の骨断片ワイヤのキット中に提供され、各骨断片ワイヤが、異なる長さの非係合断片セクション（１４）を有する、請求項１に記載の骨断片ワイヤ。
【請求項６】
前記圧縮係合部（３６）が、治癒期間後に組織を通して該圧縮係合部（３６）を除去するのを補助する傾斜した断面の近位側を有することによって特徴付けられる、請求項１に記載の骨断片ワイヤ。
【請求項７】
前記圧縮係合部（３６）の近位側の傾きが、前記ワイヤ（１０）の前記骨外部セクション（２４）の外径に隣接した緩い傾きから、該緩い傾きに対して遠位のより急な傾きへと増大し、それにより、ほぼ涙形の断面形状の圧縮係合部（３６）を提供することによって特徴付けられる、請求項６に記載の骨断片ワイヤ。
【請求項８】
前記圧縮係合部（３６）が、前記ワイヤ（１０）に対して永続的に固定されていることによって特徴付けられる、請求項１に記載の骨断片ワイヤ。
【請求項９】
前記非係合断片セクション（１４）の前記シャフト（２６）が、実質的に平滑でかつ円筒形であることによって特徴付けられる、請求項１に記載の骨断片ワイヤ。
【請求項１０】
前記骨アンカーセクション（１２）における前記ねじ（３４）が、挿入については遠位に自己タッピングし、除去については近位に自己タッピングすることによって特徴付けられる、請求項１に記載の骨断片ワイヤ。
【請求項１１】
前記圧縮係合部（３６）が、涙形の断面形状を有することによって特徴付けられ、前記圧縮係合部（３６）が、前記ワイヤ（１０）に対して永続的に固定されていることによって特徴付けられ、前記非係合断片セクション（１４）の前記シャフト（２６）が、実質的に平滑でかつ円筒形であることによって特徴付けられ、そして前記骨アンカーセクション（１２）における前記ねじ（３４）が、挿入については遠位に自己タッピングし、そして除去については近位に自己タッピングすることによって特徴付けられる、請求項１に記載の骨断片ワイヤ。
【請求項１２】
治癒期間の間、骨断片をアンカー骨へと接続するための骨断片ワイヤであって、該骨断片ワイヤは、細長いワイヤ（１０）を備え、該細長いワイヤ（１０）は、ワイヤ軸の周囲の骨外部セクション（２４）から遠位に延びる骨貫通セクション（２２）を有し、該骨貫通セクション（２２）は、非係合断片セクション（１４）と、該非係合断片セクション（１４）に対して遠位に位置する骨アンカーセクション（１２）とを備え、該非係合断片セクション（１４）は、０．１インチ（２．５４ｍｍ）以下のシャフト（２６）直径を有するシャフト（２６）を有し、該骨断片ワイヤは、該骨アンカーセクション（１２）が、該アンカー骨と係合するためのねじ（３４）を有し、該ねじ（３４）の外径が該非係合断片セクション（１４）のシャフト（２６）直径よりも大きいことによって特徴付けられ；そして該骨断片ワイヤが、該骨外部セクション（２４）の遠位端部において圧縮係合部（３６）をさらに備え、該該圧縮係合部（３６）が、該骨断片の外部表面との実質的接触のために、該ワイヤ軸に対して実質的角度を有して延びる肩部（３８）を提供することによって特徴付けられ、該圧縮係合部（３６）が、治癒期間後に組織を通して該圧縮係合部（３６）を除去することを補助する、傾斜した断面を有する近位側を有することによって特徴付けられる、骨断片ワイヤ。
【請求項１３】
前記圧縮係合部（３６）の近位側の傾きが、前記ワイヤ（１０）の前記骨外部セクション（２４）の外径に隣接した緩い傾きから、該緩い傾きに対して遠位のより急な傾きへと増大し、その結果、該圧縮係合部（３６）が、ほぼ涙形の断面形状を有することによって特徴付けられる、請求項１２に記載の骨断片ワイヤ。
【請求項１４】
前記圧縮係合部（３６）の肩部（３８）が、湾曲を有し、該湾曲が、前記骨断片の該湾曲に沿った外部表面と接触することによって特徴付けられる、請求項１２に記載の骨断片ワイヤ。
【請求項１５】
前記圧縮係合部（３６）が、前記ワイヤ（１０）に対して永続的に固定されることによって特徴付けられる、請求項１２に記載の骨断片ワイヤ。
【請求項１６】
前記非係合断片セクション（１４）の前記シャフト（２６）が、平滑でかつ円筒形であることによって特徴付けられる、請求項１２に記載の骨断片ワイヤ。
【請求項１７】
前記骨アンカーセクション（１２）における前記ねじ（３４）が、挿入については遠位に自己タッピングし、そして除去については近位に自己タッピングすることによって特徴付けられる、請求項１２に記載の骨断片ワイヤ。
【請求項１８】
治癒期間の間、骨断片をアンカー骨へと接続し、そして該治癒期間の間、骨を伸長させるための骨断片ワイヤであって、該骨断片ワイヤは、
細長いワイヤであって、該細長いワイヤは、ワイヤ軸の周囲の骨外部セクションから遠位に延びる骨貫通セクションを有し、該骨貫通セクションは、遠位端部および近位端部を有し、該遠位端部と近位端部との間に骨貫通セクション長さを有し、該骨外部セクションは、遠位端部および近位端部を有し、該遠位端部と近位端部との間に骨外部セクション長さを有し、該骨貫通セクションは、非係合断片セクションと、該非係合断片セクションに対して遠位に位置する骨アンカーセクションとを備え、該非係合断片セクションは、実質的に平滑でかつ円筒形であり、そして０．１インチ（２．５４ｍｍ）以下のシャフト直径を有するシャフトを有し、該骨アンカーセクションは、該アンカー骨と係合するためのねじを有し、該ねじの外径が該非係合断片セクションのシャフト直径よりも大きい、細長いワイヤ；ならびに
該骨外部セクションの圧縮係合部であって、該圧縮係合部は、該骨外部セクションの遠位端部に長手軸方向に設けられた肩部を提供し、該肩部は、該骨断片の外部表面との実質的接触のために、該ワイヤ軸に対して実質的角度で延びる、圧縮係合部、
を備える、骨断片ワイヤ。
【請求項１９】
前記骨貫通セクションが、前記骨外部セクションよりも短い、請求項１８に記載の骨断片ワイヤ。
【請求項２０】
前記非係合断片セクションのシャフト直径が、前記骨アンカーセクションのねじの内径よりも小さい、請求項１８に記載の骨断片ワイヤ。
【請求項２１】
前記骨外部セクションが、
実質的に平滑な外側表面を有する回転セクション、および
該回転セクションから遠位に延びる圧縮セクションであって、前記圧縮係合部の内部ねじと嵌合する外部ねじを有する、圧縮セクション
を備え、該圧縮セクションが該回転セクションよりも短い、請求項１に記載の骨断片ワイヤ。
【請求項２２】
治癒期間の間、骨断片をアンカー骨へと接続し、そして該治癒期間の間、骨を伸長させるための骨断片ワイヤであって、該骨断片ワイヤは、
細長いワイヤであって、該細長いワイヤは、
骨外部セクションであって、
実質的に平滑な外側表面を有する回転セクション、および
該回転セクションから遠位に延びる圧縮セクションであって、外部ねじを有する、圧縮セクション
を備える、骨外部セクション；ならびに
ワイヤ軸の周囲の骨外部セクションから遠位に延びる骨貫通セクションであって、該骨貫通セクションは、
シャフト直径を有する非係合断片セクションであって、該非係合断片セクションのシャフトは、実質的に平滑でかつ円筒形である、非係合断片セクション、および
該非係合断片セクションに対して遠位に位置する骨アンカーセクションであって、該骨アンカーセクションは、該アンカー骨と係合するためのねじを有し、該ねじの外径が該非係合断片セクションのシャフト直径よりも大きい、骨アンカーセクション、
を備える、骨貫通セクション、
を備える、細長いワイヤ；ならびに
圧縮係合部であって、該圧縮係合部は、該骨外部セクションの遠位端部に長手軸方向に設けられた肩部を提供し、該肩部は、該骨断片の外部表面との実質的接触のために、該ワイヤ軸に対して実質的角度で延び、該圧縮係合部は、該圧縮セクションの該外部ねじと嵌合する内部ねじを有する、圧縮係合部、
を備える、骨断片ワイヤ。
【請求項２３】
前記非係合断片セクションが、軸方向に０．０８インチ（２ｍｍ）以上延びる、請求項１に記載の骨断片ワイヤ。
【請求項２４】
前記骨アンカーセクションが、予め穿孔することなしに骨に挿入するための遠位切断先端を備える、請求項１に記載の骨断片ワイヤ。
【請求項２５】
前記骨アンカーセクションの前記ねじの内径が、前記非係合断片セクションのシャフト直径より小さくなく、その結果、該骨アンカーセクションが、該非係合断片セクションのための大きめの穴を作製し、そして該非係合断片セクションが、該骨アンカーセクションが骨断片を通って進むことにより残される骨ねじと干渉しない、請求項１に記載の骨断片ワイヤ。
【請求項２６】
前記非係合断片セクションが、軸方向に０．０８インチ（２ｍｍ）以上延びる、請求項１８に記載の骨断片ワイヤ。
【請求項２７】
前記非係合断片セクションが、軸方向に０．０８インチ（２ｍｍ）以上延びる、請求項２２に記載の骨断片ワイヤ。
【請求項２８】
治癒期間の間、骨断片をアンカー骨へと接続し、そして該治癒期間の間、骨を伸長させるための骨断片ワイヤであって、該骨断片ワイヤは、
細長いワイヤであって、該細長いワイヤは、
骨外部セクションであって、
実質的に平滑でかつ円筒形である外側表面を有する回転セクション、および
該回転セクションから遠位に延びる圧縮セクションであって、外部ねじを有する、圧縮セクション
を備え、該圧縮セクションが該回転セクションよりも短い、骨外部セクション；ならびに
ワイヤ軸の周囲の骨外部セクションから遠位に延びる骨貫通セクションであって、該骨貫通セクションは、
シャフト直径を有する非係合断片セクション、および
該非係合断片セクションに対して遠位に位置する骨アンカーセクションであって、該骨アンカーセクションは、該アンカー骨と係合するためのねじを有し、該ねじの外径が該非係合断片セクションのシャフト直径よりも大きい、骨アンカーセクション、
を備える、骨貫通セクション、
を備える、細長いワイヤ；ならびに
圧縮係合部であって、該圧縮係合部は、該骨外部セクションの遠位端部に長手軸方向に設けられた肩部を提供し、該肩部は、該骨断片の外部表面との実質的接触のために、該ワイヤ軸に対して実質的角度で延び、該圧縮係合部は、該圧縮セクションの該外部ねじと嵌合する内部ねじを有する、圧縮係合部、
を備える、骨断片ワイヤ。